(57)【要約】【課題】  地下室を構築する際、外壁と内部壁を一体として構築することにより、外壁の厚さを薄くする事が出来るようになると共に、防水層に負担のかからない、地下室の内部耐力壁と防水層の構造と施工方法を提供することを課題としている。【解決手段】  耐圧盤と外壁との接合部に止水板を設けると共に、耐圧盤と外壁の接する床下角部の全周に防水層を構築し、セパレータを用いた内部耐力壁の壁側床部を防水層と接しないように空間を開け、内部耐力壁と外壁とを一体として構築した地下室の内部耐力壁と防水層の構造と施工方法を提供する。【選択図】図３
2008121394.tif 000002
【特許請求の範囲】
【請求項１】
耐圧盤を有する地下室構造において、耐圧盤と外壁との接合部に止水板を設けると共に、耐圧盤と外壁の接する床下角部の全周に防水層を構築し、セパレータを用いた内部耐力壁の外壁側床部に防水層と接しないような空間を開け、内部耐力壁と外壁とを一体として構築した事を特徴とする地下室の内部耐力壁と防水層の構造と施工方法。
【発明の詳細な説明】
【技術分野】
【０００１】  この発明は、地下室を構築する際の、外壁と内部壁の構造と施工方法に関するものである。
【背景技術】
【０００２】  地下室は、建築基準法において容積率の緩和が認められているため、地価の高い土地や、または狭い土地に建物を建築する際、基準となる土地の容積率に対して建物の建築面積を大きく取ることが可能となると共に、音漏れが少ないので、夜遅くでも安心して大音量での楽器の練習や、音楽、ＤＶＤ鑑賞が出来るようになるため、日本のような、特に都市部の地価が高い土地や、建ぺい率が狭い土地に住宅を建設する際には、最も適している構造形態であるといえる。【０００３】  従来、このような狭小地で比較的小規模な建物の地下室を構築する場合、図１、図２に示すように、地表面１５を地下室下部まで掘削し、鋼管杭（図示せず）や柱状改良１２により基礎を構築すると共に、その上部に捨てコンクリート１４を打ち込み、耐圧盤５を構築し、さらに耐圧盤５と外壁３との間に止水板１１を埋め込むと共に、外壁３と内部壁４と地下天井１６に仮枠と鉄筋を構築し、その仮枠内に生コンクリートを打ち込む事により地下室の躯体を構築していた。なお、内部壁４は、完成した躯体の耐圧盤５と外壁３の当接するＬ字形の室内面に防水層１０を施工するため、外壁３と内部壁４の間に空間を設けて施工すると共に、防水層１０を施工後、防水層１０の上部の空間はコンクリートブロック２を積み重ねて塞いでいた。
【発明の開示】
【発明が解決しようとする課題】
【０００４】  このような、従来のものにあっては、コンクリートの内部壁４と外壁３が連結されず、内部壁４が内部耐力壁としての機能を果さないため、外壁３を設計する際、独立した壁として土圧を考慮して設計した為に、外壁の厚さが厚くなると共に鉄筋量も大幅に増量した。【０００５】  さらに、外壁３と内部壁４との間に設けた防水層１０の上部にコンクリートブロック２を積み重ねたため、コンクリートブロック２の重さで防水層１０が損傷し地下水が侵入すると云う問題が発生していた。【０００６】  そこで、この発明は、地下室を構築する際、外壁と内部壁を一体として構築することにより、内部壁を内部耐力壁として活用する事が可能となり、外壁の厚さを薄くする事が出来るようになると共に、防水層に負担のかからない地下室の内部耐力壁と防水層の構造と施工方法を提供することを課題としている。
【課題を解決するための手段】
【０００７】  かかる課題を達成するために、請求項１に記載の発明は、耐圧盤を有する地下室構造において、耐圧盤と外壁との接合部に止水板を設けると共に、耐圧盤と外壁の接する床下角部の全周に防水層を構築し、セパレータを用いた内部耐力壁の外壁側床部に防水層と接しないような空間を開け、内部耐力壁と外壁とを一体として構築した事を特徴とする。
【発明の効果】
【０００８】  請求項１に記載の発明によれば、内部耐力壁と外壁を連結させ、内部耐力壁の外壁側床部に防水層と接しないような空間を開けたため、従来のように、外壁を設計する際、独立した壁として土圧を考慮して、壁の厚さを厚くし、鉄筋量も大幅に増量したものが、本発明により、外壁の厚さを薄くする事が出来るようになると共に、防水層にかかる負担が減少し、外壁の鉄筋とコンクリートの量を大幅に減らすことが可能となり、コストの削減を図ることが出来る。
【実施例１】
【０００９】  以下、この発明の実施の形態１について説明する。【００１０】  図３及至図７には、この発明の実施の形態１を示す。【００１１】  図３は、地下室内部２０の立体図である。外壁２６と内部耐力壁２２、内部耐力壁２３、内部耐力壁２４が一体で構築されると共に、内部耐力壁２２、内部耐力壁２３、内部耐力壁２４の下面の外壁２６側に三角形の防水層空間２１が構成される。【００１２】  図４は、地下室の内部耐力壁と外壁の断面図である。地下室を構築するためには、まず地表面２８を地下室下部まで掘削し、柱状改良３２により基礎を構築すると共に、砕石３３を敷き、その上部に捨てコンクリート３４を打ち込み、つづいて耐圧盤２７を構築し、さらに図６に示すように内部耐力壁用仮枠４８と外壁用仮枠４０を構築し、その仮枠内部に鉄筋２９を配筋し、耐圧盤２７と外壁２６の継目に止水板３１を地下室の全周に切れ目無く埋め込むと共に、仮枠内に生コンクリートを流し込む事により地下室の躯体が完成する。この際、内部耐力壁用仮枠４８の下部の耐圧盤２７と外壁用仮枠４０が接する角部に、図７で示す防水層３０を塗布するための三角形の防水層空間２１を設ける。【００１３】  なお、防水層３０の巾は、図７で示すように、外壁２６の立ち上り面と耐圧盤２７面に対して共に約５０センチメートル塗布するため、防水層空間２１の三角形の開口部は外壁２６と耐圧盤２７に対して各々６０センチメートル開口することが望ましい。【００１４】  図５は、山留めと仮枠と鉄筋の関係を示す。山留用Ｈ型鋼４４と山留用平板鋼板４３で構成された山留めの内側に、山留用平板鋼板４３と生コンクリートとの接着を防ぐためのベニヤ板４１を挟み込み、その仮枠内部に鉄筋２９と外壁用仮枠４０と内部耐力壁用仮枠４８を構築し、さらに外壁を構築する鉄筋２９には、ベニヤ板４１と外壁用仮枠４０と鉄筋２９との間隔を一定に安定させ、地下水の浸入を防ぐためスペーサー４２を取付る。また内部耐力壁用仮枠４８はセパレーター４６と締付け金物４７により構築され、内部に鉄筋２９を配筋する。このようにして構成された外壁用仮枠４０と内部耐力壁用仮枠４８に生コンクリートを流し込む事により、図７で示すように、外壁２６と内部耐力壁２２が構築される。【００１５】  図７は、外壁２６と内部耐力壁２２で構築された地下室下部の止水板３１と止水層３０との関係を立体図で表す。止水層３０は内部耐力壁２２の下部に構築された、三角形の防水層空間２１にも連続して施工され、止水層３０面には一切の荷重が載らないため、止水層３０の止水効果が長期的に持続する。
【実施例２】
【００１６】  以下、この発明の実施の形態２について説明する。【００１７】  図８には、この発明の実施の形態２を示す。上記発明の実施の形態１では、図７で示すように、防水層空間２１が三角形の形状で構成されていたのに対して、この発明の実施の形態２では、図８に示すように、防水層空間５３が四角形に構成される。その他の地下室の内部耐力壁と防水層の構造と施工方法は、この発明の実施の形態１と同様である。【００１８】  以上、実施の形態に基づいて、本発明に係る地下室の内部耐力壁と防水層の構造と施工方法について詳細に説明してきたが、本発明は、以上の実施の形態に限定されるものではなく、発明の趣旨を逸脱しない範囲において各種の改変をなしても、本発明の技術的範囲に属するのはもちろんである。
【図面の簡単な説明】
【００１９】
【図１】この発明の実施の形態１に係る従来の地下室の外壁と内部壁の立体構造図である。
【図２】同実施の形態に係る従来の地下室の断面図である。
【図３】同実施の形態に係る地下室の内部耐力壁と外壁との立体構造図である。
【図４】同実施の形態に係る地下室の内部耐力壁と外壁の断面図である。
【図５】同実施の形態に係る鉄筋と仮枠との関係を示す断面図である。
【図６】同実施の形態に係る鉄筋と仮枠との関係を示す立体図である。
【図７】同実施の形態に係る外壁と内部耐力壁との関係を示す立体図である。
【図８】この発明の実施の形態２に係る外壁と内部耐力壁との関係を示す立体図である。
【符号の説明】
【００２０】１                  地下室内部
２                  コンクリートブロック
３                  外壁
４                  内部壁
５                  耐圧盤
６                  階段
７                  出入口
８                  鉄筋
１０                防水層
１１                止水板
１２                柱状改良
１３                砕石
１４                捨てコンクリート
１５                地表面
１６                地下天井
２０                地下室内部
２１                防水層空間
２２                内部耐力壁
２３                内部耐力壁
２４                内部耐力壁
２５                階段
２６                外壁
２７                耐圧盤
２８                地表面
２９                鉄筋
３０                防水層
３１                止水板
３２                柱状改良
３３                砕石
３４                捨てコンクリート
３５                地下天井スラブ
４０                外壁用仮枠
４１                ベニヤ板
４２                スペーサー
４３                山留用平板鋼板
４４                山留用Ｈ型鋼
４５                受け木
４６                セパレーター
４７                締付け金物
４８                内部耐力壁用仮枠
４９                受け木
５０                パイプサポート
５１                内部仮枠壁側下部
５２                内部耐力壁
５３                防水層空間
５４                耐圧盤
５５                鉄筋
５６                捨てコンクリート
５７                砕石
５８                止水板
５９                防水層
６０                外壁
【図１】
2008121394.tif 000003
【図２】
2008121394.tif 000004
【図３】
2008121394.tif 000005
【図４】
2008121394.tif 000006
【図５】
2008121394.tif 000007
【図６】
2008121394.tif 000008
【図７】
2008121394.tif 000009
【図８】
2008121394.tif 000010